(57)【要約】【課題】支柱を円滑かつ静かに回転させることができ、更に固定位置で安定して支持できる支柱回転支持装置を提供すること。【解決手段】被取付部材２１には表面に開口が設けられ内壁部２４を備えた支持穴部２２が設けられている。支柱１１の端部には内壁部２４の内径より小さい外径を備えて円筒状に設けられた支持端部１２が設けられている。支持穴部２と２支持端部１２との間にはカラー部材３０が設けられ、カラー部材３０は支持端部１２に接するよう弧状に形成された３個所以上の内周部３２、隣り合う２個所の内周部３２に挟まれて内周部３２から外側に膨出形成された３個所以上の制止凸部３３、及び内周部３２又は制止凸部３３に１個所に設けられた切除部３１を備えた弾性素材からなり、復元力で内周部３２が支持端部１２に、制止凸部３３が支持穴部２２に圧接される。【選択図】          図１
2005016664.tif 000002
【特許請求の範囲】
【請求項１】
被取付部材に立設する支柱の端部を、その軸心周りで回転可能に且つ任意の回転位置に停止可能に支持する支柱回転支持装置であって、
前記被取付部材表面に開口を有して円筒状の内壁部を備えた支持穴部と、
前記支柱の端部に前記支持穴部の内径より小さい外径の円筒状に設けられた支持端部と、
前記支持端部を支持穴部に配置するとき支持端部と支持穴部の内壁部との間に設けられるカラー部材とから構成され、
前記カラー部材は、支持端部と接するよう弧状に形成された３個所以上の内周部、隣り合う２個所の内周部に挟まれて前記内周部から外側に膨出形成された３個所以上の制止凸部、及び前記内周又は制止凸部のいずれかに１個所に設けられた切除部とを備えた略リング状の弾性素材からなり、支持穴部と支持端部との間に配置されたとき復元力で内周部が支持端部に、制止凸部が支持穴部に接触する支柱回転支持装置。
【請求項２】
前記カラー部材の内周部の内径は、前記支持端部の外径よりわずかに小さい請求項１記載の支柱回転支持装置。
【請求項３】
前記カラー部材は合成樹脂製である請求項１又は請求項２記載の支柱回転支持装置。
【請求項４】
前記支柱には表示装置が設けられた請求項１、請求項２、又は請求項３記載の支柱回転支持装置
【請求項５】
前記被取付部材は、キャッシュレジスタ、ＰＯＳ端末、又はコンピュータ端末である記請求項１、請求項２、請求項３又は請求項４記載の支柱回転支持装置。
【発明の詳細な説明】
【０００１】
【発明の属する技術分野】
本発明は支柱回転支持装置に係り、特に被取付部材に立設する支柱の端部を、その軸心周りで回転可能に且つ任意の回転位置に停止可能に支持する支柱回転支持装置に関する。
【０００２】
【従来の技術】
キャッシュレジスタ（ＥＣＲ）では、オペレータ用の表示部の他に客に金額等を示すための表示部を設けたものがある。客用の表示部は、キャッシュレジスタの据付位置と客の位置との関係から表示面が客から最も見やすい向きになるように回転させる必要があり、回動可能になっているものが普通である。このような場合、表示部を回転させたとき所望の角度で回転が停止させ、且つ、停止位置で安定して表示部を保持する必要がある（例えば特許文献１参照）。
【０００３】
特許文献１に示されたキャッシュレジスタ１００は、図１０に示すように、客用表示部１０２は円筒状の支持軸１０３によりキャッシュレジスタ本体１０１の上部に支柱回転支持装置により回動自在に取り付けられる。なお１０４はオペレータ用表示部、１０５はオペレータが販売品の区分、金額等を入力するためのキー群を示している。
【０００４】
この特許文献１に示される装置において、客用表示部１０２は、図７乃至図９に示すように、一体に設けられた円筒状の支持軸１０３の下端部１１１を、キャッシュレジスタ本体１０１の上部に形成された穴１１３に挿通し、穴１１３で回動自在に軸支される。支持軸１０３の下端部１１１に、外方に突出する半円状の突起１１２が設けられている。そして、穴１１３の下面側の縁部には、例えば、合成樹脂等の弾性を有する部材で形成した円柱状の突片１１４を略等間隔で下方向きに立設してある。そして、突片１１４の先端部が支持軸１０３の下端部１１１の突起１１２に対応する位置となるように突片１１４の長さを設定する。なお、支持軸１０３の下端部１１１の突起１１２は支持軸１０３の材料で支持軸１０３と共に一体成形等で形成するようにし、突片１２４は、キャッシュレジスタ本体１０１の筺体を合成樹脂等で形成する場合は筺体の材料で一体成形等で成形するようにする。
【０００５】
これにより、支持軸１０３、すなわち表示部１０２を回動させたとき、支持軸１０３は下端の突起１１２が突片１１４に接触し、先端部で突片１１４を外方に押し広げながら回動し、突起１１２が２つの突片１１４で挟まれた位置、すなわち突起１１２が隣接する２つの突片１１４と噛み合った位置で一旦止まるので、表示部１０２の向きが所望の向きになるまで回動操作を続ければよい。
【０００６】
【特許文献１】
特開平１０−０２７２８３号公報
【０００７】
【発明が解決しようとする課題】
ところで、上述した円筒支柱の回転支持装置にあっては、固定位置は突片１０４が突片１１４の間にある個所に限られている他、回転に際して支持軸１０３に設けられた突片１０４が突片１１４を乗り越える際に雑音を発生するという問題がある。また、支持軸１０３は下端部１１１と穴１１３の接触、及び突片１０４と２本の突片１１４との係合だけで支持されているため、遊びがありグラグラとして表示器が傾いてしまうことがある。更に突片１１４が壊れやすく壊れた場合補修をテープなどで行うと見栄え悪くなるという問題がある。
【０００８】
そこで本発明は、円筒支柱を円滑かつ静かに回転でき、更に固定位置で安定して支持される支柱回転支持装置及びそのカラー部材を提供することを目的とする。
【０００９】
【課題を解決するための手段】
本発明は以下の手段により前記課題を解決するものである。請求項１に記載の本発明は、被取付部材に立設する支柱の端部を、その軸心周りで回転可能に且つ任意の回転位置に停止可能に支持する支柱回転支持装置であって、前記被取付部材表面に開口を有して円筒状の内壁部を備えた支持穴部と、前記支柱の端部に前記支持穴部の内径より小さい外径の円筒状に設けられた支持端部と、前記支持端部を支持穴部に配置するとき支持端部と支持穴部の内壁部との間に設けられるカラー部材とから構成され、前記カラー部材は、支持端部と接するよう弧状に形成された３個所以上の内周部、隣り合う２個所の内周部に挟まれて前記内周部から外側に膨出形成された３個所以上の制止凸部、及び前記内周又は制止凸部のいずれかに１個所に設けられた切除部とを備えた略リング状の弾性素材からなり、支持穴部と支持端部との間に配置されたとき復元力で内周部が支持端部に、制止凸部が支持穴部に接触する支柱回転支持装置である。
【００１０】
本発明に係る円筒支柱回転支持装置によれば、カラー部材は支持穴部と支持端部との間に変形して配置され、復元力で内周部が支持穴部に、制止凸部が支持穴部に接触して支柱を被取付部材に支持する。このとき、支柱と被取付部材とはカラー部材の内周部と支持端部との間での線接触による摩擦力、及び制止凸部と支持穴部との間の線接触による摩擦力で保持されるから、回転に伴う振動は発生せず円筒支柱を円滑かつ静かに回転させることができ、更に固定位置で安定して支持することができる。
【００１１】
請求項２に記載の本発明は、請求項１記載の支柱回転支持装置において、前記カラー部材の内周部の内径は、前記支持端部の外径よりわずかに小さくしたものである。本発明によれば、カラー部材の内周部の内径を前記支持端部の外径よりわずかに小さく形成しているから、支持端部にカラー部材を取り付けた際、カラー部材と支持端部とが確実に接触する。
【００１２】
請求項３に記載の本発明は、請求項１又は請求項２記載の支柱回転支持装置において、前記カラー部材は合成樹脂製としたものである。本発明によれば、カラー部材を合成樹脂製で形成するから、カラー部材の材質を選択することにより、適度な摩擦力がえられ円筒支柱を円滑かつ静かに回転させることができ、更に固定位置で安定して支持することができる他、支柱回転支持装置及びカラー部材の耐久性を高いものとすることができる。
【００１３】
請求項４に記載の本発明は、請求項１、請求項２、又は請求項３記載の支柱回転支持装置において、前記支柱には表示装置が設けられたものである。本発明によれば、表示装置が取り付けられた支柱を自由に回動させ、所定位置することができ、表示装置を所定方向に向け保持することができる。
【００１４】
請求項５に記載の本発明は、記請求項１、請求項２、請求項３又は請求項４記載の支柱回転支持装置において、前記被取付部材をキャッシュレジスタ、ＰＯＳ端末、又はコンピュータ端末としたものである。本発明によれば、キャッシュレジスタ，ＰＯＳ端末、コンピュータ端末に立設する支柱を円滑かつ静かに回転させることができ、更に固定位置で安定して保持することができる。
【００１５】
【発明の実施の形態】
以下、本発明の実施の形態を添付図面に基づいて説明する。図１乃至図６は発明を実施する形態の一例を示すものである。図１は、本発明の実施の形態に係る支柱回転支持装置を示す分解斜視図、図２は図１に示した支柱回転支持装置を示す断面図であり、（ａ）は支柱回転支持装置の縦断面図、（ｂ）は（ａ）中のｂ−ｂ線に沿う部分断面図、図３は図１に示した支柱回転支持装置を示す図２中のＩＩＩ−ＩＩＩ線に沿う断面図、図４は図１に示した支柱回転支持装置の図３中ＩＶ部の拡大図、図５は図１に示した支柱回転支持装置が適用されるキャッシュレジスタ（ＥＣＲ）を示す一部破断側面図、図６は図１に示した支柱回転支持装置が適用されるキャッシュレジスタ（ＥＣＲ）を示す平面図である。
【００１６】
本例において、支柱回転支持装置１０は従来に示した支柱回転支持装置と同様に被取付部材であるキャッシュレジスタ５０に適用される。即ち本例に係る支柱回転支持装置１０は、図５及び図６に示すキャッシュレジスタ５０の客用表示装置５１をキャッシュレジスタ本体２１に回転可能に取り付けるものである。このキャッシュレジスタ５０は、キャッシュレジスタ本体２１に立設した支柱である円筒支柱でオペレータ用表示部５４を立設し、支柱回転支持装置１０で客用表示部５１を立設したものである。なお図中５７はオペレータが必要事項を入力するキー群、５８はレシート等を発行する印字部を示している。
【００１７】、
本例において、支柱回転支持装置１０は、図１及び図２に示すように、合成樹脂製のキャッシュレジスタ本体２１に一体として形成された支持穴部２２と、合成樹脂で形成され客用表示装置５１を支持する円筒支柱１１の端部に設けられた円筒状の支持端部１２と、前記支持穴部２２と支持端部１２との間に配置され、合成樹脂、例えばポリオキメチレン（ＰＯＭ）製のカラー部材３０とから構成される。なおカラー部材３０の材質は適宜変更することができる。
【００１８】
前記支持穴部２２は、図１及び図２（ａ），（ｂ）に示すように内径Ｄ３を備えた円筒状の内壁部２４と、この内壁部２４の内周部端縁に内側に向け内鍔部２３とが形成されている。
【００１９】
また、前記支持端部１２は前記支持穴の内径Ｄ３より小さい外径Ｄ１を備えた円筒状の部材として支持軸１０３に一体に形成されており、直径を挟んで２個所に前記フランジ部の内縁に係止する係止爪部１３が設けられている。
【００２０】
この係止爪部１３は、図２（ｂ）に示すように、前記支持端部１２から突出し弾性的に内側に湾曲する腕部１４と、この腕部から内側に突出し断面略三角形状の係止突起部１５とからなる。そして、この支持端部１２を前記支持穴部２３に挿入すると腕部１４が弾性的に湾曲して、係合突起部１５が内鍔部２３に係合して、前記円筒支柱１１が回動可能な状態で且つ、抜け方向に移動するのを禁止する。尚符号１６はカラー部材位置保持用の突起を示している。
【００２１】
更に、カラー部材３０は１個所に切除部３１を形成した例えば厚さ数ミリメートルの略リング状の部材であって、前記支持端部１２と接するよう弧状に形成された４個所の内周部３２と、隣り合う２個所の内周部３２に挟まれて前記内周部３２から外側に膨出形成された４個所の制止凸部３３とが形成されている。本例では前記切除部３１は制止凸部３３に形成されている。なお上記内周部３２と制止凸部３３は４個所に限られず３個以上であればよい。また切除部は制止凸部３３に設けているが内周部３２に設けても差し支えない。
【００２２】
そして、本例ではカラー部材３０は相対する内周部３２の内径をＤ（例えば１９．７ｍｍ）としたとき、前記支持端部１２の外径Ｄ１（例えば２０ｍｍ）との間にＤ１＞Ｄ２の関係を有している。本例ではカラー部材３０を合成樹脂、例えばポリオキメチレン（ＰＯＭ）で形成しているのでＤ１及びＤ２に多少の寸法誤差が合ったとしても安定した作動性能を得ることができる。
【００２３】
次に、本例に係る円筒支柱回転支持装置を組み立てについて説明する。まず、支持端部１２にカラー部材３０を嵌め込む。この状態で、カラー部材３０の切除部３１が開き、カラー部材３０は支持端部１２に容易に嵌め込むことができる。次にこの状態で支持端部１２とカラー部材３０とを支持穴部２２に挿入する。すると、カラー部材３０の切除部が閉まりつつカラー部材が弾性変形して、カラー部材３０はカラー部材３０を支持端部１２と支持穴部２２の内壁部２４との間に配置される。
【００２４】
ここで、前記支持端部１２の外径Ｄ１は、内周部の内径Ｄ２より大きいから、図２及び図４に示すように、カラー部材３０を支持端部１２と支持穴部２２の内壁部２４との間に配置されたとき復元力で内周部３２が支持端部１２に、制止凸部３３が支持穴部２２に接触する。即ちカラー部材３０の内周部３２は湾曲して支持端部１２との間に隙間３５ができ、内周部３２の両端部と支持端部１２とが線で接触する状態となる。このとき制止凸部３３の外周は支持穴部２２の内壁部２４に接触しており、これらの間の摩擦力で円筒支柱１１は回転可能にキャッシュレジスタ本体２１に取り付けられる。
【００２５】
一方、上述したように係止爪部１３の係合突起部１５は係止穴部の内鍔部２３に係合して、前記円筒支柱１１が回動可能な状態で且つ、抜け方向に移動するのが禁止される。
【００２６】
従って、円筒支柱１１とキャッシュレジスタ本体２１とはカラー部材３０の内周部３２と支持端部１２との間での線接触による摩擦力、及び制止凸部３３と支持穴部２２の内壁部２４との間の線接触による摩擦力で保持されるから、回転に伴う振動は発生せず円筒支柱を円滑かつ静かに回転させることができ、更に固定位置で安定して支持することができる。
【００２７】
また、カラー部材３０の内周部３２の内径を前記支持端部１２の外径よりわずかに小さく形成しているから、支持端部１２にカラー部材３０を取り付けた際、カラー部材３０と支持端部１２とが確実に接触する。更に、カラー部材３０を合成樹脂製の一つであるポリオキメチレン（ＰＯＭ）製としたから、高い寸法精度を必要とせず、適度な摩擦力がえられ円筒支柱を円滑かつ静かに回転させることができ、更に固定位置で安定して支持することができる他、カラー部材の耐久性を高いものとすることができる。
【００２８】
尚、上述した例では支柱回転支持装置及びカラー部材をキャッシュレジスタ（ＥＣＲ）に適用した例について説明したが、本発明はＰＯＳ端末、コンピュータ端末の他円筒支柱を回転可能に支持する必要があるどのような装置にも適用できる。また、上記例では支柱として円筒形のものを使用したが、支持端部が所定の形状であればよく支柱自体の形状はどのようなものであってもよい。更に、支柱には表示装置を取り付ける例を示したが支柱はどのような目的で被取付部材に取り付けられるものであってもよい。
【００２９】
【発明の効果】
以上説明したように、本発明によれば以下の優れた効果を奏する。本発明に係る円筒支柱回転支持装置によれば、支柱と被取付部材とはカラー部材の内周部と支持端部との間での線接触による摩擦力、及び制止凸部と支持穴部との間の線接触による摩擦力で保持されるから、回転に伴う振動は発生せず円筒支柱を円滑かつ静かに回転させることができ、更に固定位置で安定して支持することができる。
【００３０】
また、カラー部材の内周部の内径を前記支持端部の外径よりわずかに小さく形成した本発明によれば、支持端部にカラー部材を取り付けた際、カラー部材と支持端部とが確実に接触する。
【００３１】
更に、カラー部材を合成樹脂製で形成した本発明によれば、カラー部材の材質を選択することにより、適度な摩擦力がえられ円筒支柱を円滑かつ静かに回転させることができ、更に固定位置で安定して支持することができる他、支柱回転支持装置及びカラー部材の耐久性を高いものとすることができる。
【００３２】
更にまた支柱に表示装置が取り付けられた本発明によれば、支柱を自由に回動させ、所定位置することができ、表示装置を所定方向に向け保持することができる。
【００３３】
そして、本発明によれば、ＥＣＲ，ＰＯＳ端末、コンピュータ端末に直立させた円筒支柱の支柱回転支持装置を適用するので、各装置において、被取付部材に取り付けた円筒支柱を円滑かつ静かに回転させることができ、更に固定位置で安定して支持することができる。
【図面の簡単な説明】
【図１】本発明の実施の形態に係る支柱回転支持装置を示す分解斜視図である。
【図２】図１に示した支柱回転支持装置を示す断面図であり、（ａ）は支柱回転支持装置の縦断面図、（ｂ）は（ａ）中のｂ−ｂ線に沿う部分断面図である。
【図３】図１に示した支柱回転支持装置を示す図２中のＩＩＩ−ＩＩＩ線に沿う断面図である。
【図４】図１に示した支柱回転支持装置の図３中ＩＶ部の拡大図である。
【図５】図１に示した支柱回転支持装置が適用されるキャッシュレジスタ（ＥＣＲ）を示す一部破断側面図である。
【図６】図１に示した支柱回転支持装置が適用されるキャッシュレジスタ（ＥＣＲ）を示す平面図である。
【図７】従来の支柱回転支持装置の一例の円筒支柱を示す斜視図である
【図８】従来の支柱回転支持装置の円筒支持部を示す断面図である。
【図９】従来の支柱回転支持装置の組み立て状態を示す図８中のＩＸ−ＩＸ線に沿う断面図である。
【図１０】従来の技術が適用されるキャッシュレジスタの斜視図である。
【符号の説明】
１０  支柱回転支持装置
１１  円筒支柱（支柱）
１２  支持端部
１３  係止爪部
１４  腕部
１５  係止突起部
１６  突起
２１  キャッシュレジスタ本体（被取付部材）
２２  支持穴部
２３  内鍔部
２４  内壁部
３０  カラー部材
３１  切除部
３２  内周部
３３  制止凸部
３５  隙間
５０  キャッシュレジスタ
５１  客用表示装置
５３  円筒支柱
５４  オペレータ用表示部
５７  キー群
５８  印字部
【図１】
2005016664.tif 000003
【図２】
2005016664.tif 000004
【図３】
2005016664.tif 000005
【図４】
2005016664.tif 000006
【図５】
2005016664.tif 000007
【図６】
2005016664.tif 000008
【図７】
2005016664.tif 000009
【図８】
2005016664.tif 000010
【図９】
2005016664.tif 000011
【図１０】
2005016664.tif 000012